(57)【要約】【課題】項目を区分して、機械翻訳を許容する項目についてのみ機械翻訳の結果を自動表示するようなインターネットのホームページを管理する地域情報システムを提供すること。【解決手段】表示言語への機械翻訳の結果を自動表示することの可否を表す翻訳方法属性によって、表示対象項目を区別し、機械翻訳の結果を自動表示するか否かを切り替える。その入力直後から多くの者に広く公開したいユーザコメントについては、機械翻訳の結果を自動表示する。ユーザによる選択及び検索キーワードに基づく判断によって表示言語を定める。【選択図】図１
2013250703.tif 000002
【特許請求の範囲】
【請求項１】
起案又は翻訳された地域情報のコンテンツについて、少なくとも２つの表示対象言語による表示が可能であり、前記コンテンツを選択された表示言語によるインターネットのホームページとして表示する地域情報伝達システムであって、
前記コンテンツは２以上の表示対象項目を含み、
前記表示対象項目は翻訳方法属性を有し、
前記翻訳方法属性は、表示対象項目について表示言語への機械翻訳の結果を自動表示することの可否を表すものであって、少なくとも機械翻訳の結果を自動表示することを可とする機械翻訳許容属性及び機械翻訳の結果を自動表示することを否とする機械翻訳禁止属性を翻訳方法属性として含み、
前記２以上の表示対象項目のうち少なくとも１つは機械翻訳許容属性を有し、少なくとも別の１つは機械翻訳禁止属性を有することを特徴とする、地域情報伝達システム。
【請求項２】
前記コンテンツは表示対象項目としてユーザコメントを含み、
ユーザコメントは機械翻訳許容属性を有し、
機械翻訳許容属性を有する表示対象項目については、その表示対象項目を全ての表示対象言語で表示することを特徴とする、請求項１に記載の地域情報伝達システム。
【請求項３】
ログイン画面を備え、ログイン画面においてユーザが前記表示言語を選択する表示言語選択手段が提供されることを特徴とする、請求項１又は２に記載の地域情報伝達システム。
【請求項４】
２以上の地域情報を保持し、
ユーザによって入力されたキーワードに基づいて地域情報を検索し、表示言語を設定する検索・表示言語設定手段を備えることを特徴とする、請求項１又は２に記載の地域情報伝達システム。 
【発明の詳細な説明】
【技術分野】
【０００１】
本発明は、インターネットのホームページを介して地域の情報を伝達する地域情報伝達システムに関するものである。
【背景技術】
【０００２】
観光地、名産品等を紹介し、その観光地、その名産品を販売している店舗等を地図上に表示して、地域を案内するインターネットのホームページが多く存在する。かかるホームページは、地域に観光客等を呼び込む効果があり、地域振興のために重要である。
近年、海外からの観光客が多く、地域の案内を外国語で行う必要が増している。特許文献１には、観光客の端末からガイドの端末に送信される文字情報を自動翻訳して海外からの観光客に対応するシステムが開示されている。
【０００３】
インターネットのホームページを外国語対応するには、ホームページのコンテンツを翻訳した外国語のホームページを作成することとなる。しかし、翻訳先の言語の数が多く、翻訳にかかる作業量及び費用に制約されて、外国語対応を十分に行うことは困難である。
翻訳にかかる作業量及び費用を減少させるために、特許文献１に示されるような機械翻訳を利用することも考えられる。しかし、機械翻訳は翻訳文の品質が保証されるものではない。特許文献１のように特定の１人の観光客へのガイドであれば翻訳文の品質が低くても許容できる場合が多いと考えられるが、不特定多数への情報発信を行うインターネットのホームページでは翻訳文の品質が重視され、機械翻訳を行ったとしてもその後に人手によるチェック作業が必要である。
また、翻訳文の品質が低いものではない場合であっても、宗教上の理由などにより翻訳文を変更することが好ましい場合もある。例えば、レストランの紹介をイスラム教文化圏の国の言語へ翻訳するに当たっては、豚肉料理の紹介を野菜料理の紹介に変更することが好ましい。
【０００４】
一方、祭礼等のイベントを短期間のみ案内する場合等には、短時間で翻訳することが重要であり、翻訳文の品質よりも翻訳に要する時間が重視される。この場合には、機械翻訳を利用することが合理的である。
以上のとおり、地域を案内するインターネットのホームページのコンテンツには、品質を重視して機械翻訳を許容しない項目と、利便性を重視して機械翻訳を許容する項目とが混在する。しかし、項目を区分して、機械翻訳を許容する項目についてのみ機械翻訳の結果を自動表示するようなインターネットのホームページ、及び、そのホームページを管理する地域情報伝達システムは知られていなかった。
【先行技術文献】
【特許文献】
【０００５】
【特許文献１】特開２００５−００５９３８号公報
【発明の概要】
【発明が解決しようとする課題】
【０００６】
解決しようとする課題は、項目を区分して、機械翻訳を許容する項目についてのみ機械翻訳の結果を自動表示するようなインターネットのホームページを管理する地域情報システムを提供することである。
【課題を解決するための手段】
【０００７】
本発明の地域情報伝達システムは、
起案又は翻訳された地域情報のコンテンツについて、少なくとも２つの表示対象言語による表示が可能であり、前記コンテンツを選択された表示言語によるインターネットのホームページとして表示する地域情報伝達システムであって、
前記コンテンツは２以上の表示対象項目を含み、
前記表示対象項目は翻訳方法属性を有し、
前記翻訳方法属性は、表示対象項目について表示言語への機械翻訳の結果を自動表示することの可否を表すものであって、少なくとも機械翻訳の結果を自動表示することを可とする機械翻訳許容属性及び機械翻訳の結果を自動表示することを否とする機械翻訳禁止属性を翻訳方法属性として含み、
前記２以上の表示対象項目のうち少なくとも１つは機械翻訳許容属性を有し、少なくとも別の１つは機械翻訳禁止属性を有することを特徴とする。
【０００８】
翻訳方法属性によって、表示対象項目を区別し、機械翻訳の結果を自動表示するか否かを切り替えることができるものである。
【０００９】
本発明の地域情報伝達システムは、
前記コンテンツは表示対象項目としてユーザコメントを含み、
ユーザコメントは機械翻訳許容属性を有し、
機械翻訳許容属性を有する表示対象項目については、その表示対象項目を全ての表示対象言語で表示することを特徴とする。
【００１０】
観光地を訪れた者、名産品を購入した者によるユーザコメントは、地域情報の客観評価を伝達して観光客を呼び込む手段として有効であり、多くのホームページに掲載されている。特に、近年のフェイスブックの利用拡大によって、コメントをする観光客が増加していると考えられる。
ユーザコメントは、その入力直後から多くの者に広く公開したい。機械翻訳の結果を自動表示することに適した項目である。
【００１１】
本発明の地域情報伝達システムは、
ログイン画面を備え、ログイン画面においてユーザが前記表示言語を選択する表示言語選択手段が提供されることを特徴とする。
【００１２】
ホームページを閲覧するユーザが希望の表示言語を選択することを可能とし、利便性を増すものである。
【００１３】
本発明の地域情報伝達システムは、
２以上の地域情報を保持し、
ユーザによって入力されたキーワードに基づいて地域情報を検索し、表示言語を設定する検索・表示言語設定手段を備えることを特徴とする。
ユーザによる表示言語の指定がない場合であっても、検索に用いられるキーワードに基づいて表示言語を設定することができる。
【発明の効果】
【００１４】
本発明の地域情報伝達システムは、項目を区分して、機械翻訳を許容する項目についてのみ機械翻訳の結果を自動表示するようなインターネットのホームページを管理する地域情報システムを提供する。
本発明の地域情報伝達システムは、その実装形態によって、以下の効果を持たせることが可能である。（１）ユーザコメントを、その入力直後から、翻訳して多くの者に広く公開する。（２）ユーザによる表示言語の選択を可能とする。（３）検索に用いられるキーワードに基づいて表示言語を設定する。
【図面の簡単な説明】
【００１５】
【図１】図１は、地域情報伝達システムの構成を示す図である。
【図２】図２は、日本語ホームページのソースコードの例を示す図である。
【図３】図３は、日本語ホームページの表示例を示す図である。
【図４】図４は、英語ホームページの表示例を示す図である。
【図５】図５は、翻訳管理手段の処理を示す図である。
【図６】図６は、表示言語選択手段の表示例を示す図である。
【図７】図７は、検索・表示言語設定手段の表示例を示す図である。
【発明を実施するための形態】
【００１６】
以下、本発明の実施例を示す。なお、実施例において示す構成及びフローチャートは一例であり、本発明の技術的範囲は実施例に限定されるものではない。
【実施例１】
【００１７】
図１は、地域情報伝達システムの構成を示す図である。地域情報伝達システム１は、日本語ホームページ１１、英語ホームページ１２及び中国語ホームページ１３（以下、これらの３つのホームページを総称して「地域情報ホームページ」と言う。）を備えている。なお、地域情報ホームページとして他の言語のホームページを合わせて備えてもよい。
地域情報伝達システム１には、翻訳管理手段１４及び機械翻訳手段１５が備えられ、翻訳管理手段１４は、機械翻訳手段１５を用いて、日本語ホームページ１１、英語ホームページ１２及び中国語ホームページ１３を相互に翻訳して改訂する。
地域情報伝達システム１には、表示言語選択手段１６及び表示言語選択手段１７が備えられている。表示言語選択手段１６及び検索・表示言語設定手段１７は、ホームページに備えられた機能であり、ユーザ端末２は、表示言語選択手段１６又は検索・表示言語設定手段１７を介してホームページにアクセスする（表示言語選択手段１６又は検索・表示言語設定手段１７に係るホームページからナビゲートして地域情報ホームページにアクセスする）ことができる。
【００１８】
図２は、日本語ホームページのソースコードの例を示す図である。ソースコード３は、ｄｉｖタグによって区分された２以上の表示対象項目を含む。各々のｄｉｖタグには、（そのｄｉｖタグ内に翻訳対象のテキストが含まれる限りにおいて）機械翻訳禁止属性を示すクラス３１（translation_NO）又は機械翻訳許容属性を示すクラス３２（translation_OK）が翻訳方法属性として定義されている。これら２つのクラス以外のクラス（例えば機械翻訳を許容するが人手による翻訳が存在する場合にはそれを優先するようなクラス）を定めて、そのような翻訳方法属性を付することも可能である。本実施例においては、翻訳方法属性としては、機械翻訳禁止属性及び機械翻訳許容属性の２つの属性のみがあるものとする。
なお、翻訳対象のテキストに対する機械翻訳禁止属性及び機械翻訳許容属性の付与をｄｉｖタグのクラスによって行っているが、他の方法（ｄｉｖタグ以外のタグによる、ｈｔｍｌのタグ以外の方法で指定する）によることでもよい。
【００１９】
図３は、日本語ホームページの表示例を示す図である。地図が表示され、地図中の観光スポット等の説明が表示されている。この表示は、図２に示したソースコードに基づくものに、他のホームページへのリンクを追加したものである。図２に対して追加された内容があったとしても、図２に示されたテキストについてｄｉｖタグによって翻訳方法属性が明確に定義される。
【００２０】
図４は、英語ホームページの表示例を示す図である。図３に示した日本語ホームページを英語に翻訳したものである。ユーザコメントの部分４１は、機械翻訳許容属性が付されているので、機械翻訳によって翻訳されている。
他の部分は、機械翻訳禁止属性が付されており、人手による翻訳である。これにより、単なる直訳である機械翻訳とは異なった翻訳文を表示することができる。例えば、Ａレストランの説明について、日本語では「地元の豚肉によるポークソテーがおいしい。」とあるのに対し、英語は「A restaurant famous for local flavored meals.」となっている。英語のホームページが多様な嗜好のユーザ、しかも海外のユーザに閲覧されると考えられるので、ポークソテーに限定せずに「local flavored meals」と表現して、その土地固有の食材への興味を喚起したものである。中国語のホームページについても同様である。
【００２１】
図５は、翻訳管理手段１４の処理を示す図である。翻訳管理手段１４は、ステップ５１において、各言語のホームページに対する新規追加文を検出する。かかる検出は、翻訳管理手段１４が地域情報ホームページを継続的に監視する方法によっても、ホームページに新規内容の追加を行うプログラムが信号を送信する方法によっても、ホームページに新規内容の追加を行った者が翻訳管理手段を呼び出す方法によっても実装し得る。
ステップ５２において、新規追加分が機械翻訳許容属性を有するか否かを判断する。図２のように翻訳方法属性がｄｉｖタグのクラスとして記述されているのであれば、新規追加部分が属するｄｉｖタグ範囲のクラスを求めればよい。
機械翻訳許容属性を有する場合には、ステップ５３において機械翻訳手段を呼び出してその新規追加部分を翻訳し、ステップ５４において翻訳結果を他の言語のホームページに追加する。これにより、地域情報を伝達するホームページの作成者は、１言語のホームページを他の言語のホームページに自動的に反映させることができる。
【００２２】
上記は、ホームページの作成者による新規追加であったが、ユーザコメントの場合にはそれよりも複雑な状況となる。翻訳の元となる言語が１つに固定されないためである。
日本語ホームページ１１を閲覧しているユーザがコメント実行ボタン４２ｊをクリックし、「安くておいしい！」というコメントを書き込み、その後に、英語ホームページ１２を閲覧しているユーザがコメント実行ボタン４２ｅをクリックして「Vegetable soup was good.」というコメントを書き込んだとする。この場合、前者のコメントを日本語ホームページのみに表示し、後者のコメントを英語ホームページのみに表示すると、日本語ホームページと英語ホームページとで異なる内容となってしまう。
ユーザコメントを活用して観光客を呼び込むには、全てのコメントを全ての言語で、地帯なく公開することが好ましい。英語ホームページ１２には前者のコメントの英語訳が表示され、日本語ホームページ１１には後者のコメントの日本語訳が表示されること、そして、中国語ホームページ１３には両方のコメントの中国語訳が表示されることが好ましい。
図５に示した翻訳管理手段１４の処理を利用し、コメントの書き込みによってステップ５１の新規追加分検出を行うことで、上記のとおりの好ましい動作をさせることができる。
【実施例２】
【００２３】
図６は、表示言語選択手段１６の表示例を示す図である。ユーザは、図に示すログインページにアクセスする。その後、メールアドレス及びパスワードを入力してログインし、地域情報を閲覧する。
その際、言語指定ウィンドウ６１に表示言語の指定を入力する、又は、ドロップダウンリスト６２に表示された中から表示言語を選択することによって、ユーザ自身の希望する表示言語を選択することができる。
表示言語選択手段１６は、入力または選択された言語を表示言語とし、その言語のホームページへのナビゲーションを行う。
【実施例３】
【００２４】
図７は、検索・表示言語設定手段１７の表示例を示す図である。地域情報伝達システム１には、数多くの地域の情報が保持されている。ユーザは、キーワード入力エリア７１に、自分の興味がある情報を検索するためのキーワードを入力し、検索ボタン７２をクリックする。
検索・表示言語設定手段１７は、入力されたキーワードに基づいて、全ての言語のホームページを検索し、検索結果のリストを表示する。キーワードとの文字列一致による検索を行えば、そのキーワードの言語のホームページが検索されると考えられ、通常の場合には、検索結果のリストは１つの言語のものに限定されている。表示言語は、この言語に設定される。
２つ以上の言語（例えば日本語と中国語、英語とフランス語）において同じ綴りの単語があり、２つ以上の言語のホームページが検索結果に含まれる可能性はあるが、この場合には、ユーザが検索結果の中から１とホームページを選択するので、選択されたホームページの言語が表示言語に設定される。
【産業上の利用可能性】
【００２５】
項目を区分して、機械翻訳を許容する項目についてのみ機械翻訳の結果を自動表示するようなインターネットのホームページを管理する地域情報システムであり、多くの地方自治体、観光業者における利用が期待できる。また、そのインターネットのホームページを多くの観光客が利用することが期待できる。
【符号の説明】
【００２６】
１    地域情報伝達システム
１１  日本語ホームページ
１２  英語ホームページ
１３  中国語ホームページ
１４  翻訳管理手段
１５  機械翻訳手段
１６  表示言語選択手段
１７  検索・表示言語設定手段
２    ユーザ端末
３    ソースコード
３１  機械翻訳禁止属性を示すクラス
３２  機械翻訳許容属性を示すクラス
４１  ユーザコメント
４２  コメント実行ボタン
５１  ステップ
５２  ステップ
５３  ステップ
５４  ステップ
６１  言語指定ウィンドウ
６２  ドロップダウンリスト
７１  キーワード入力エリア
７２  検索ボタン
【図１】
2013250703.tif 000003
【図２】
2013250703.tif 000004
【図３】
2013250703.tif 000005
【図４】
2013250703.tif 000006
【図５】
2013250703.tif 000007
【図６】
2013250703.tif 000008
【図７】
2013250703.tif 000009